(57)【特許請求の範囲】
【請求項１】
引戸の上縁と、該上縁に対向する枠との間に、前記引戸の移動方向と平行となって位置し、前記上縁または枠に固定されるとともに、板面の所定箇所に貫通孔を有するカバー板と、
前記引戸の上縁および前記枠とに配設されるとともに、前記カバー板が固定される前記上縁側または枠側の一方が、前記カバー板に沿って該カバー板と前記上縁または枠との間を、前記引戸の移動方向と平行に摺動自在とされ、他方は前記枠または上縁に固定される一対のブロックと、
前記一対のブロックの互いに対向する面にそれぞれ配設されるとともに、閉戸時における前記貫通孔に対応した位置に該カバー板を隔てて対向して設けられ、少なくとも一方が前記貫通孔を貫通して突出し、互いに電気的接触が行われる少なくとも一対の接点と、
前記一対のブロックの摺動自在な一方のブロックに設けられ、該一方のブロックの前記一方の接点を前記カバー板の貫通孔より外して該カバー板の板面に隠蔽させる方向に、該一方のブロックを付勢させる付勢部材と、
前記上縁または枠に突設され、閉戸時に前記摺動自在の一方のブロックに係合し、前記付勢部材の付勢力に抗して前記ブロックを摺動させ、前記カバー板を隔てて前記両ブロックを対向位置とし、前記一方のブロックに隠蔽されている接点を貫通孔に位置させて他方の接点と対向させる凸部と、
を具備することを特徴とする引戸用通電構造。
【請求項２】
前記一対の接点は、閉戸時における互いの位置が真直に対向する位置関係とされ、少なくとも一方の突出する接点が、押圧付勢部材を具備することを特徴とする請求項１記載の引戸用通電構造。
【請求項３】
前記一対のブロックの枠側に配設されるブロックには電源が接続され、前記引戸の上縁に配設されるブロックには電気錠が接続される請求項１または２記載の引戸用通電構造。
【発明の詳細な説明】
【０００１】
【発明の属する技術分野】
本発明は、住宅などの建物開口部に配設される片引戸や引き違い戸などの引戸に設けられる施錠装置となる電気錠などに対して外部より通電を行うための引戸用通電構造に関するものである。
【０００２】
【従来の技術】
住宅やビルなどの建物の出入口などの開口部に配設される片引戸や引き違い戸などの引戸は、その配設される開口部枠体に対して左右幅方向にスライド移動自在な構成となっているとともに、開口部枠体から取り外せるようになっており、すなわち扉と異なり、蝶番などの軸支部分など枠体に対して連結される部分が無く、開閉動作は建物に対して摺動案内されるのみの構造である。
【０００３】
このことから、引戸に施解錠を電気的に行う電気錠を配設するには、電源を引戸外部からとるために、枠体側と引戸とを伸縮自在なカールコードにて連結し電気的接続を行う構造が用いられていた。
【０００４】
ところが、上記のような通電構造であるカールコードは、外部に露出していることから、外観上、見栄えが悪く、また、引戸の開閉動作により伸縮が繰り返されることから、劣化しやすく断線が発生するおそれがあり、電気錠への通電不良を引き起こすという欠点を有していた。
【０００５】
このことから、引戸用の電気錠に通電を行うための通電用金具が案出され、例えば実公平３−１２１２８号公報に開示されている通電用装置が従来用いられている。
この通電装置は、引戸の戸先側上縁と、閉戸時にこの上縁と対向する枠とに接触体をそれぞれ配設し、引戸上縁側の接触体と枠側の接触体との間に、枠側に配設され接触体を被覆する可動自在なカバーを設け、閉戸動作にてそのカバーを開放して、閉戸時に接触体同士を通電可能に接触させるように構成されている。
【０００６】
【発明が解決しようとする課題】
しかしながら、上述した従来の通電装置では、可動自在なカバーが枠側に設けられるが、そのカバーの開放を引戸の戸先が行う構造となっており、すなわち、カバーが引戸に係合することで、このカバーが開放するように構成されることから、カバーには引戸に係合するための突出部が形成されており、この突出部が建物開口部内方に突出してしまい、見栄えが悪くなるとともに、この作動部分が表出していることから手で容易に開閉操作されてしまうという問題があった。
【０００７】
また、この通電装置は、互いに接触する一対の接触体の一方がバネにて突出する構成であるが、この接触体が枢着されて回動することで突出する構造であることから、この接触体を収容するケースを小型化できず、またこの接触体の数を容易に増設させることができないという欠点を有している。
【０００８】
そこで本発明は、上記問題点を解消するために、引戸側と枠側とに配設される通電用接点の構成数が増加しても少ないスペースで構成でき、確実に互いに接触することができるとともに、見栄えのよい外観構造とする引戸用通電構造を提供することを目的としている。
【０００９】
【課題を解決するための手段】
次に、上記の課題を解決するための手段を、実施の形態に対応する図面を参照して説明する。
この発明の引戸用通電構造１は、引戸４の上縁と、該上縁に対向する枠２０との間に、前記引戸４の移動方向と平行となって位置し、前記上縁または枠２０に固定されるとともに、板面の所定箇所に貫通孔８を有するカバー板７と、
前記引戸４の上縁および前記枠２０とに配設されるとともに、前記カバー板７が固定される前記引戸４上縁側または枠２０側の一方（１２）が、前記カバー板７に沿って該カバー板７と前記上縁または枠２０との間を、前記引戸４の移動方向と平行に摺動自在とされ、他方（２１）は前記枠２０または上縁に固定される一対のブロック１２，２１と、
前記一対のブロック１２，２１の互いに対向する面にそれぞれ配設されるとともに、閉戸時における前記貫通孔８に対応した位置に該カバー板７を隔てて対向して設けられ、少なくとも一方（２４）が前記貫通孔８を貫通して突出し、互いに電気的接触が行われる少なくとも一対の接点１３，２４と、
前記一対のブロック１２，２１の摺動自在な一方のブロック１２に設けられ、該一方のブロック１２の前記一方の接点を前記カバー板７の貫通孔８より外して該カバー板７の板面に隠蔽させる方向に、該一方のブロック１２を付勢させる例えば圧縮コイルバネよりなる付勢部材１７と、
前記上縁または枠２０に突設され、閉戸時に前記摺動自在の一方のブロック１２に係合し、前記付勢部材１７の付勢力に抗して前記ブロック１２を摺動させ、前記カバー板７を隔てて前記両ブロック１２，２１を対向位置とし、前記一方のブロック１２に隠蔽されている接点を貫通孔８に位置させて他方の接点と対向させる凸部２３と、
を具備することを特徴としている。
【００１０】
なお、前記一対の接点１３，２４は、閉戸時における互いの位置が真直に対向する位置関係とされ、少なくとも一方の突出する接点２４が、圧縮コイルバネなどよりなる押圧付勢部材２８を具備し、他方の接点１３に対して真直に突出して接触する構成としてもよい。
【００１１】
そして、この引戸用通電構造１は、前記一対のブロックの枠側に配設されるブロック２１には電源が接続され、前記引戸４の上縁に配設されるブロック１２には引戸の戸先に配設される電気錠が接続される。
【００１２】
【発明の実施の形態】
図１は本発明による引戸用通電構造の実施の形態を示す引戸側ユニットの分解斜視図、図２は同枠側ユニットの一部裁断斜視図である。
【００１３】
本実施の形態の引戸用通電構造１は、図１および図２に示すように、ブロックと、接点とをそれぞれ具備した引戸側ユニット２と、枠側ユニット３で構成されている。
【００１４】
まず、引戸側ユニット２は、住宅やビルなどの建物の出入口や居室の出入口などの開口部に配設される片引戸や引き違い戸などの引戸４の戸先側上縁に配設され、ケース５内に、一方のブロックとしての可動ブロック１２と、一方の接点としての固定接点１３と、付勢部材１７とで大略構成されている。
【００１５】
まず、ケース５は、図１に示すように、直方状に形成されるとともに、長手方向の一端５ａの上半部が開口し、他端５ｂが開口した略中空な角型パイプ形状に形成されるとともに、中空部５ｃに上下に空間を仕切る板部６が水平に設けられている。
【００１６】
また、ケース５の上板はカバー板７とされ、このカバー板７には複数の貫通孔８、本実施の形態では３個の方形状の貫通孔８が、長手方向にそれぞれ等間隔となって穿設され、これら貫通孔８以外の板部分は、隠蔽部９とされている。
また、ケース５の底面には、挿通孔１０が形成されている。
【００１７】
さらに、このケース５の他端５ｂの開口には、この開口を閉塞する閉塞部材１１が取り付けられるようになっている。この閉塞部材１１には、引戸４に固定するためのフランジ部１１ａが突設されている。
【００１８】
なお、カバー板７の各貫通孔８同士の間隔長さ、すなわち隠蔽部９の長さは、貫通孔８の幅長よりやや大きく設定され形成されており、また、カバー板７の先端側７ａは、ケース５本体よりやや短尺、本実施の形態では、隠蔽部９の長さよりやや長く設定されて形成されている。
【００１９】
次に可動ブロック１２は、矩形な略板状に形成されており、上面に、前記貫通孔８に対応する間隔毎に位置するとともに、本実施の形態ではそれぞれが３個で構成された複数、すなわち９個の固定接点１３が配設されている。
【００２０】
これら固定接点１３は、それぞれがプリント配線基板などの基板１４に配列されて固設されており、この基板１４が可動ブロック１２の底面より固定され、各固定接点１３が可動ブロック１２上面に表出するようになっている。
また、この可動ブロック１２の底面には、垂下方向に突出する規制突片１５が配設されている。
【００２１】
そして、この可動ブロック１２は、前記ケース５内に、長手方向他端５ｂの開口から板部６の上面側に挿入され、一端５ａの開口に可動ブロック１２の先端１２ａが突出するように取り付けられる。
【００２２】
なお、各固定接点１３の位置は、可動ブロック１２の略垂直な先端面１２ａを基準に、その先端面１２ａからの距離が設定されて配設され、また、各固定接点１３には、基板１４を介して信号線や電源線等の電線１６が接続され、図３に示すように、ケース５底面の挿通孔１０より引き出されている。
【００２３】
また、付勢部材としての圧縮コイルバネ１７は、前述したケース５の閉塞部材１１に一端が固定され、他端がケース５内の可動ブロック１２の基端面１２ｂに当接するようになっている。
【００２４】
そして、この圧縮コイルバネ１７の付勢力は、常に可動ブロック１２に対して掛かっており、この付勢力によって可動ブロック１２の先端１２ａがケース５の一端５ａ開口部、すなわちカバー板７の先端７ａ側より常に突出するようになっており、また、この可動ブロック１２が圧縮コイルバネ１７の付勢力により先端１２ａが突出している状態では各固定接点１３がカバー板７の貫通孔８に対応せず、隠蔽部９の下部となり、各固定接点１３が表出しないようになる。
【００２５】
なお、この可動ブロック１２の突出長さは、可動ブロック１２底面に突設された規制突片１５が、ケース５内の板部６端面に当接することで、図３に示すように、ケース５本体の一端面５ａと面一となるように設定されている。
【００２６】
そして、この引戸側ユニット２は、引戸４側の上縁に、戸先端面と上端面とが矩形凹状に切欠形成されたその凹部４ａ内に、カバー板７が上端面と略面一となるように、すなわち引戸４の移動方向と平行となるように設けられ、このカバー板７に沿いその下部を可動ブロック１２が引戸４の移動方向と平行に摺動移動自在となって取り付けられる。
【００２７】
次に枠側ユニット３は、前述した引戸４の摺動移動を案内する開口部の枠体で、この引戸４の上縁に対向する上枠２０に配設され、他方のブロックとしての固定ブロック２１と、凸部２３と、他方の接点としての可動接点２４とで大略構成されている。
【００２８】
固定ブロック２１は、図２に示すように、直方状に形成されているとともに、上下垂直方向に貫通するスリット状のガイド孔２２が、前記可動ブロック１２に配設される各固定接点１３に対応する複数、すなわち本実施の形態では９個のガイド孔２２が穿設されている。
【００２９】
また、この固定ブロック２１には、長手方向一端にフランジ状の取付片２１ａが延設され、他端には、固定ブロック２１の他端面２１ｂに沿って垂下方向に突出する略方形状の凸部２３が設けられている。
この凸部２３の厚さ、すなわち固定ブロック２１の他端面２１ｂからの突出長さは、前記カバー板７における貫通孔８，８間の長さと略同等の長さに設定されている。
【００３０】
なお、各ガイド孔２２の位置は、凸部２３の垂直面２３ａを基準に、その垂直面２３ａからの距離が設定されて配設されている。
【００３１】
次に可動接点２４は、先端が略三角形状に形成された板状部材で、前記可動ブロック１２に配設される各固定接点１３に対応する複数、すなわち９個で構成されている。
【００３２】
これら可動接点２４は、それぞれがプリント配線基板などの基板１４に付勢ガイド部２５を介して配列されて設けられている。
【００３３】
この付勢ガイド部２５は、基板２６の下面に、この基板２６の板面に対して垂直下向きに植設された一対の導通ガイド部材２７と、これら導通ガイド部材２７間に配設され一端が基板２６に固定される導電性を有する圧縮コイルバネ２８とで構成されており、この付勢ガイド部材２５の導通ガイド部材２７に可動接点２４の両側縁が支持されるとともに、圧縮コイルバネ２８の他端が可動接点２４の基端に接続されて、導通ガイド部材２７間を可動接点２４が摺動自在とされている。
【００３４】
そして、各導通ガイド部材２７が固定ブロック２１の各ガイド孔２２内の壁面に沿うように嵌挿されて、基板２６が固定ブロック２１の上面に固定され、各可動接点２４の先端が固定ブロック２１の底面よりそれぞれ突出するようになっている。
【００３５】
また、この固定ブロック２１の下面には、各ガイド孔２２よりやや小さい通孔２９が形成され化粧板を兼ねる薄板状のストッパ板３０が取り付けられ、各ガイド孔２２より可動接点２４が脱落せず、可動接点２４の先端のみが突出するようになっている。
【００３６】
これにより、各可動接点２４が基板２６に対して上下動自在となるとともに、圧縮コイルバネ２８の付勢力により、常に固定ブロック２１下面より突出されるようになっている。
【００３７】
なお、各可動接点２４には、付勢ガイド部２５及び基板２６を介して、図３に示すように、信号線や電源線等の電線３１が接続される。
【００３８】
そして、この枠側ユニット３は、引戸４の摺動移動を案内する開口部の枠体で、この引戸の上縁に対向する上枠２０、本実施の形態では、引戸４の戸先が当接する縦枠１９との接合部分に位置する上枠２０に、矩形凹状に切欠形成されたその凹部２０ａ内に配設され、固定ブロック２１の底面（ストッパ板３０）が上枠２０の下面と略面一となるように、取り付けられるとともに、凸部２３のみが上枠２０の下面より突出し、かつ、この凸部２３が縦枠１９の戸先当接面より突出するように設けられる。
【００３９】
そして、上述した各ユニット２，３は、図示しないが、引戸側ユニット２は引戸４の戸先に配設される電気錠と結線され、また、枠側ユニット３は商用電源などの電源や図示しない制御部と結線される。
【００４０】
次に、上述した構成の引戸用通電構造１の動作について説明する。
まず、引戸４が開放された状態では、引戸側ユニット２は、圧縮コイルバネ１７の付勢力により、可動ブロック１２がケース５の先端方向に押圧され、すなわち可動ブロック１２の先端１２ａがカバー板７の先端７ａ側より突出された状態となり、各固定接点１３がカバー板７の隠蔽部９に隠蔽されている（図３参照）。
【００４１】
また、この開放状態では、枠側ユニット３の各可動接点２４が下方に突出した状態となっている。
そして、引戸４の戸先に配設されている電気錠には、通電が行われず、施錠操作等は不可能となっている。
【００４２】
次に、引戸４を閉鎖操作し、引戸４の戸先を建物側の縦枠１９に近づかせると、まず、図３に示すように、枠側ユニット３（固定ブロック２１）の凸部垂直面２３ａに、引戸側ユニット２の可動ブロック１２の先端面１２ａが当接する。
【００４３】
この当接状態で、各固定接点１３と各可動接点２４とは、カバー板７の隠蔽部９を隔てて垂直に対向した位置となる。
【００４４】
さらに、閉鎖操作が進み、引戸４の戸先が縦枠１９に当接し、閉戸状態となると、図４に示すように、固定ブロック２１の凸部２３によって、可動ブロック１２のみが押圧される状態となり、すなわち、圧縮コイルバネ１７の付勢力に抗して可動ブロック１２がケース５に対して縮退方向に摺動される。
【００４５】
別言すると、可動ブロック１２は、凸部２３を介して固定ブロック２１の位置に留まり、この固定ブロック２１に対して圧縮コイルバネ１７の付勢力に抗してケース５が引戸４とともに移動することとなる。
【００４６】
すると、対向している各接点１３，２４を隔てている隠蔽部９が、凸部２３の厚さ分移動することとなり、これにより、この隠蔽部９に隠蔽されていた各固定接点１３が、カバー板７の各貫通孔８の位置となり、表出することとなる。
【００４７】
このとき、カバー板７の隠蔽部９上面を引戸４の移動とともに各可動接点２４が摺接するが、この閉戸とともに、各可動接点２４は、垂下方向に付勢力を有していることから、カバー板７の各貫通孔８を通して各固定接点１３と真直に接触することとなる。
【００４８】
これにより、各接点１３，２４を介して通電状態となり、引戸４の電気錠は電源を得、また制御部とも信号の伝送が可能となり、施錠操作等が可能となる。
【００４９】
また、この閉戸状態から、開戸状態とすると、縦枠１９から引戸４の戸先が離脱すると同時に、圧縮コイルバネ１７の復元しようとする付勢力にてまずカバー板７が各可動接点２４と各固定接点１３との間に介入し、各接点１３，２４による通電状態を断つ。
【００５０】
別言すると、開戸動作を行い、縦枠１９から引戸４の戸先が離脱すると、この引戸４に対して圧縮コイルバネ１７の付勢力によって可動ブロック１２は固定ブロック２１の凸部２３に当接したまま、すなわち各接点１３，２４同士が対向した状態で、引戸４とともにカバー板７が移動し、各接点１３，２４間にカバー板７の隠蔽部９が移動する。そして、各接点１３，２４による通電状態が断たれる。
【００５１】
その後、可動ブロック１２の先端面１２ａが引戸４の戸先と面一となる位置まで引戸４（カバー板７）に対して突出し、可動ブロック１２の先端面１２ａが凸部２３の垂直面２３ａから離脱し、引戸４は開放となる。
【００５２】
従ってこのように構成された引戸用通電構造１では、一対の接点の可動接点２４を枠２０側に設け、真直な垂下方向に付勢力を有する圧縮コイルバネ２８にて、対向する引戸４の上縁側の固定接点１３に接するので、互いの接続状態が導通性の良好な構造となり、その通電状態が確実となり信頼性が向上する。
また、このことから、この通電構造に接続される電気錠の動作が確実なものとなる。
【００５３】
さらに、この可動接点２４が垂直方向に摺動する構造であることから、縦横に複数配列させても小型化を図ることが可能となり、省スペース化を図ることが可能となる。
これにより、この通電構造１が取り付けられる、引戸４側および枠２０側の取付スペースを大きくとることがない。
【００５４】
また、この引戸用通電構造１によれば、閉戸時に、まず可動ブロック１２が固定ブロック２１の凸部２３に当接し、この凸部２３を介して可動ブロック１２が停止して、可動接点２４と固定接点１３とをカバー板７を隔てて対向位置とさせ、その後に引戸４の移動とともにカバー板７が可動ブロック１２に対して移動し、各接点１３，２４同士が接触し通電状態とさせる構成である。すなわち、凸部２３の垂直面２３ａに可動ブロック１２の先端面１２ａが当接した状態で、可動ブロック１２は固定ブロック２１に対してこの凸部２３を介して略一体となり、これらブロック１２，２１に対して、圧縮コイルバネ１７を介して引戸４と略一体のカバー板７が配置されていることとなる。従って、固定接点１３の位置が可動接点２４に対して移動せず、真直に対向した位置を維持した後にカバー板７が引戸４とともに引戸４の移動によって各接点１３，２４同士間から移動する構成であることから、各接点１３，２４同士の接触の際は位置ずれが起きず、通電が確実にかつ迅速に行われる。
【００５５】
また、カバー板７が引戸４と略一体に設けられ、可動ブロック１２が固定ブロック２１の凸部２３に当接した状態となり上記のように略一体となった後の、引戸４の戸先と縦枠１９との閉戸移動間隔は圧縮コイルバネ１７のみが作動する間隔であり、この圧縮コイルバネ１７の付勢力に抗する動作が、カバー板７に対して可動ブロック１２を摺動させる動作を兼ねた閉戸動作となっており、また、この付勢力に抗する動作間では、両接点１３，２４が既に対向位置になっているので、引戸４の動作により追従や連動する他の部材がなく、通電のための動作不良や誤動作などが起きにくく、また破損などが起きにくい。
【００５６】
さらに、上記実施の形態では、カバー板４を、建物に対して摺動移動する引戸４側、すなわち移動体側に配設させたので、塵埃等が付着しやすい引戸上縁に配設される接点（固定接点１３）を汚損させることがなく、接点不良を起こすおそれがない。
【００５７】
また、この可動ブロック１２の摺動付勢を、引張コイルバネではなく、引張コイルバネに比べて耐久性の良好な圧縮コイルバネ１７にて構成させたので、経時変化による破損などが起きにくく、常に良好な動作を得ることができる。
【００５８】
さらに、引戸４を開放すると同時に、可動ブロック１２が圧縮コイルバネ１７によって移動し、固定接点１３がカバー板７に自動的に隠蔽されるよう構成されているので、この固定接点１３が必要時、すなわち通電時以外は常に保護されることとなり、固定接点１３の表面が酸化など起きず、良好な接触状態を得ることが可能となる。
【００５９】
また、この引戸用通電構造１は、建物の開口部の縁部分および引戸４の戸先側縁部分より、大きく突出する部材が少なく、開口部および引戸４としての見栄えが悪くならない。
【００６０】
なお、上述した実施の形態では、引戸４側に可動ブロック１２を具備し、カバー板７を設けたユニット２を配設し、枠２０側を固定ブロック２１とした構成の例について述べたが、引戸４側を固定ブロック２１とし、枠２０側に可動ブロック１２を設け、この枠２０側にカバー板７が配設される構造としてもよい。
【００６１】
この場合、開戸状態において、枠２０側の接点が表出せず、カバー板７に隠蔽される構成となり、すなわち、開戸状態で人が接点を触れることがなくなり、感電事故などを防ぐことが可能となるとともに、その接点の防錆効果を得ることができる。
【００６２】
また、カバー板７を具備する可動ブロック１２側の接点を固定接点１３とし、固定ブロック２１側の接点を可動接点２４とした例について述べたが、この通電構造は、これに限ることはなく、閉戸時に対向する接点の少なくともいずれか一方が突出する構成で、互いに電気的接触が行われる構成であればよい。
【００６３】
【発明の効果】
以上説明したように本発明による引戸用通電構造では、一対の接点がカバー板の貫通孔を隔てて真直に対向する位置関係とされていることから、両接点同士の接触状態が確実とされ、特にこれら対となる接点の少なくとも一方の突出する接点が押圧付勢部材を具備することから、真直な対向方向に付勢力により、互いの接続状態がさらに導通性の良好な構造となり、その通電状態が確実となり信頼性が向上するという効果がある。
【００６４】
また、このことから、この通電構造に接続される電気錠の動作が確実なものとなる。
【００６５】
さらに、この突出する接点が、真直方向に摺動する構造とされることから、縦横に複数配列させても小型化を図ることが可能となり、省スペース化を図ることが可能となるという効果がある。
【００６６】
そして、これにより、この通電構造が取り付けられる、引戸側および枠側の取付スペースを大きくとることがないという効果を得られる。
【００６７】
また、この引戸用通電構造によれば、閉戸時に、まず凸部によって両ブロック同士を互いに停止させ、各ブロックのそれぞれの接点をカバー板を隔てて対向位置とさせて、その後に引戸の移動とともにカバー板に対して一方のブロックを摺動移動させ、各接点同士を接触させて通電状態とさせる構成である。すなわち、凸部を介して両ブロックが略一体となり、これらブロックに対して、付勢部材を介してカバー板が配置されていることとなる。従って、一方の接点の位置が他方の接点に対して移動せず、真直に対向した位置を維持した後に、カバー板が引戸の移動によって各接点同士間からこれら接点に対して移動する構成であることから、各接点同士の接触の際は位置ずれが起きず、通電が確実にかつ迅速に行われるという効果がある。
【００６８】
また、カバー板が引戸又は枠と略一体に設けられ、閉戸時における両ブロックが凸部を介して略一体となった後の、引戸の戸先と縦枠との閉戸移動間隔は付勢部材のみが作動する間隔であり、この付勢部材の付勢力に抗する動作が、カバー板に対して一方のブロックを摺動させる動作を兼ねた閉戸動作となっており、また、この付勢力に抗する動作間では、両接点が既に対向位置になっているので、引戸の動作により追従や連動する他の部材がなく、通電のための動作不良や誤動作などが起きにくく、また破損などが起きにくいという効果がある。
【００６９】
さらに、カバー板を、建物に対して摺動移動する引戸側、すなわち移動体側に配設させた場合では、塵埃等が付着しやすい引戸上縁に配設される接点を汚損させることがなく、接点不良を起こすおそれがないという効果を得られる。
【００７０】
さらに、引戸を開放すると同時に、一方のブロックが付勢部材によって摺動移動し、接点がカバー板に自動的に隠蔽されるよう構成されているので、この接点が必要時、すなわち通電時以外は常に保護されることとなり、この接点の表面が酸化など起きず、良好な接触状態を得ることが可能となる。
【００７１】
また、この引戸用通電構造では、建物の開口部の縁部分および引戸の戸先側縁部分より、大きく突出する部材が少なく、開口部および引戸としての見栄えが悪くならないという効果がある。
【図面の簡単な説明】
【図１】本発明による引戸用通電構造の一実施の形態を示す引戸側ユニットの一部裁断分解斜視図
【図２】同枠側ユニットの一部裁断斜視図
【図３】同引戸用通電構造の開戸時における側断面図
【図４】同引戸用通電構造の閉戸時における側断面図
【符号の説明】
１…引戸用通電構造
４…引戸
７…カバー板
８…貫通孔
１２…一方のブロック（可動ブロック）
１３…一方の接点（固定接点）
１７…付勢部材（圧縮コイルバネ）
２０…枠（上枠）
２１…他方のブロック（固定ブロック）
２３…凸部
２４…他方の接点（可動接点）
２８…押圧付勢部材（圧縮コイルバネ）
【図１】
0003568656.tif 000002
【図２】
0003568656.tif 000003
【図３】
0003568656.tif 000004
【図４】
0003568656.tif 000005